(57)【要約】      （修正有）【課題】部品点数が少なく、テンプルを容易に着脱することができると共に、取り付けたテンプルが外れにくく且つ周方向への回転ずれを防止する眼鏡を提供する。【解決手段】左右一対のレンズＬを有するフロント部１０と、フロント部１０の両側に取り付けられた固定基部１１及び固定基部１１に回動可能となるように取り付けられた弾性基部１２からなるヒンジ部２０と、弾性基部１２の一部を内挿可能な中空部を有するテンプル部３０と、を備え、弾性基部１２には、外突起部が設けられており、テンプル部３０には、弾性基部１２が中空部に内挿された状態で外突起部を掛止可能な掛止部設けられている眼鏡１００。【選択図】図１
2014006404.tif 000002
【特許請求の範囲】
【請求項１】
左右一対のレンズを有するフロント部と、
該フロント部の両側に取り付けられた固定基部及び該固定基部に回動可能となるように取り付けられた弾性基部からなるヒンジ部と、
前記弾性基部の一部を内挿可能な中空部を有するテンプル部と、
を備え、
前記弾性基部には、外突起部が設けられており、
前記テンプル部には、前記弾性基部が前記中空部に内挿された状態で前記外突起部を掛止可能な掛止部が設けられている眼鏡。
【請求項２】
前記弾性基部には、上下一対の外突起部が設けられており、
前記テンプル部には、前記弾性基部が前記中空部に内挿された状態で前記外突起部を掛止可能な上下一対の掛止部が設けられている請求項１記載の眼鏡。
【請求項３】
前記弾性基部が側面視でＵ字状の線材である請求項１又は２に記載の眼鏡。
【請求項４】
前記固定基部が側面視でＵ字状の線材であり、
前記固定基部と前記弾性基部とが上下２カ所で枢着されている請求項３記載の眼鏡。
【請求項５】
前記テンプル部の内側には、切欠部が設けられている請求項１〜４のいずれか１項に記載の眼鏡。
【請求項６】
前記切欠部には、マイクが前方に配置されるように補聴器が取り付けられている請求項５記載の眼鏡。
【請求項７】
前記テンプル部の中腹には、通孔部が設けられており、
前記補聴器のイヤホンが前記通孔部に挿通されている請求項６記載の眼鏡。
【発明の詳細な説明】
【技術分野】
【０００１】
本発明は、眼鏡に関し、更に詳しくは、部品点数が少なく、テンプルを容易に着脱することができると共に、取り付けたテンプルが外れにくく且つ周方向への回転ずれを防止する眼鏡に関する。
【背景技術】
【０００２】
眼鏡は一般に、フロント部と、蝶番と呼ばれるヒンジ部と、テンプル部とから構成される。
ところで、眼鏡を使用していくうちに、意匠性に飽きが来たりすることがある。この場合、雰囲気を変えるため、テンプル自体を異なったものと交換することが行われることがある。
また、意匠性に関係なく、掛け心地を調整するためにテンプルを取り替えることが行われることがある。
すなわち、眼鏡を掛けた場合、顔の側面に当接されるテンプルに、意匠性やフィッティング性を与えることで、眼鏡の意匠性や掛け心地が大きく影響されることから、テンプルの着脱を可能にした眼鏡が研究開発されている。
【０００３】
例えば、第１眼鏡パーツの差込プラグを第２眼鏡パーツのソケット孔に差し込むことによって、眼鏡パーツ同士を着脱可能とした眼鏡パーツの差込み連結機構（例えば、特許文献１参照）、フロント枠に連結されるジョイントパーツの掛合受部に耳鉉パーツを挿嵌し、耳鉉パーツに設けられた掛止部に掛止パーツを掛合させた眼鏡テンプル（例えば、特許文献２参照）、柔軟性の高い金属を鎧部に使用し、鎧の長軸方向に先端部に向かってネジ目を立て、テンプルの所定位置に該ネジ係止用のネジ穴を切り、ロックナットを介して、鎧とテンプルを螺着したテンプルの継手構造（例えば、特許文献３参照）、テンプルの先端を開いた状態に加工し、ヨロイや、丁番に取り付けた止め具に、先端を閉じて差し込み、先端が外に開こうとする力により、ヨロイや、止め具に固定するテンプル取替式眼鏡（例えば、特許文献４参照）、芯金部材と、挿通穴を有する耳掛部材とを備え、凸状係合部が芯金部材に設けられ、凹状係合部が凸状係合部に係合するように耳掛部材に設けられた眼鏡フレーム用テンプル（例えば、特許文献５参照）、レンズ側に対してヒンジにより開閉可能に構成されたテンプル部と、テンプル部に形成された受け穴と、ヒンジに形成されてヒンジからテンプル部へと延びて受け穴に挿入される突出棒と、を備えるメガネフレーム（例えば、特許文献６参照）等が知られている。
【先行技術文献】
【特許文献】
【０００４】
【特許文献１】特開２００１−１１７０５２号公報
【特許文献２】特開２００４−１１７４９５号公報
【特許文献３】特開２００５−４３８００号公報
【特許文献４】特開２００６−３１３２９９号公報
【特許文献５】特開２００６−３１７４７３号公報
【特許文献６】特開２００９−２７６６９６号公報
【発明の概要】
【発明が解決しようとする課題】
【０００５】
しかしながら、上記特許文献１記載の眼鏡パーツの差込み連結機構は、着脱は簡単であるが、構造が複雑であり製造するのが困難である。また、第２眼鏡パーツが必須の構成となるので、意匠性が優れるとは言えない。
上記特許文献２記載の眼鏡テンプルは、耳鉉パーツが掛合受部から外れやすいという欠点がある。また、テンプルが周方向への回転ずれを起こし易い。
上記特許文献３記載のテンプルの継手構造は、部品点数が多く、装着が煩雑になる欠点がある。また、テンプルが周方向への回転ずれを起こし易い。
上記特許文献４記載のテンプル取替式眼鏡は、テンプルの先端を二股に形成する必要があるので、製造が困難である。また、テンプルの形状にも制限が生じる。
上記特許文献５記載の眼鏡フレーム用テンプルは、着脱を繰り返すと、凸状係合部が擦り減り、結果としてテンプルが外れやすくなる欠点がある。また、凹状係合部と凸状係合部との係合点が見えないので、装着しにくい。
上記特許文献６記載のメガネフレームは、部品点数が多く、テンプルの形状にも制限が生じる。
【０００６】
本発明は上記事情に鑑みてなされたものであり、部品点数が少なく、テンプルを容易に着脱することができると共に、取り付けたテンプルが外れにくく且つ周方向への回転ずれを防止する眼鏡を提供することを目的とする。
【課題を解決するための手段】
【０００７】
本発明者は、上記課題を解決するため鋭意検討したところ、弾性基部の一部をテンプル部に内挿させ、弾性基部に設けられた外突起部を、テンプル部に設けられた掛止部に掛止させることにより、意外にも、上記問題点を解決できることを見出し、本発明を完成させるに至った。
【０００８】
本発明は、（１）左右一対のレンズを有するフロント部と、該フロント部の両側に取り付けられた固定基部及び該固定基部に回動可能となるように取り付けられた弾性基部からなるヒンジ部と、弾性基部の一部を内挿可能な中空部を有するテンプル部と、を備え、弾性基部には、外突起部が設けられており、テンプル部には、弾性基部が中空部に内挿された状態で外突起部を掛止可能な掛止部が設けられている眼鏡に存する。
【０００９】
本発明は、（２）弾性基部には、上下一対の外突起部が設けられており、テンプル部には、弾性基部が中空部に内挿された状態で外突起部を掛止可能な上下一対の掛止部が設けられている上記（１）記載の眼鏡に存する。
【００１０】
本発明は、（３）弾性基部が側面視でＵ字状の線材である上記（１）又は（２）に記載の眼鏡に存する。
【００１１】
本発明は、（４）固定基部が側面視でＵ字状の線材であり、固定基部と弾性基部とが上下２カ所で枢着されている上記（３）記載の眼鏡に存する。
【００１２】
本発明は、（５）テンプル部の内側には、切欠部が設けられている上記（１）〜（４）のいずれか１つに記載の眼鏡に存する。
【００１３】
本発明は、（６）切欠部には、マイクが前方に配置されるように補聴器が取り付けられている上記（５）記載の眼鏡に存する。
【００１４】
本発明は、（７）テンプル部の中腹には、通孔部が設けられており、補聴器のイヤホンが通孔部に挿通されている上記（６）記載の眼鏡に存する。
【発明の効果】
【００１５】
本発明の眼鏡においては、弾性基部の一部をテンプル部の中空部に内挿させることによりテンプル部が装着され、中空部から取り出すことによりテンプル部が取り外されるので、テンプル部を容易に着脱することができる。
また、上記眼鏡においては、テンプル部の装着時に、弾性基部に設けられた外突起部を、テンプル部に設けられた掛止部に掛止させることにより、取り付けたテンプルが外れにくく且つ周方向への回転ずれを防止することができる。なお、外突起部を上下一対の構成とし、該外突起部を掛止可能な掛止部を上下一対の構成とすることで、取り付けたテンプルがより外れにくく且つ周方向への回転ずれを確実に防止することができる。
さらに、眼鏡は、フロント部と、ヒンジ部と、テンプル部とを備えるだけなので、部品点数が少なく、製造も容易である。
【００１６】
本発明の眼鏡においては、弾性基部が側面視でＵ字状の線材である場合、軽量且つシンプルであり、意匠性にも優れる。
これに加え、固定基部が側面視でＵ字状の線材であり、固定基部と弾性基部とが上下２カ所で枢着されている場合、より軽量且つシンプルであり、意匠性にもより優れる。
また、テンプル部が幅広のものでも適用が可能である。
【００１７】
本発明の眼鏡においては、テンプル部の内側に、切欠部が設けられている場合、軽量化が図られると共に、当該切欠部に装飾品や電気機器を取り付けることができる。
例えば、切欠部に、補聴器を取り付けることにより、補聴器のマイクが前方に配置される。このため、聴きたい音の方向に顔を向けることにより横からの雑音を遮り、より良く聴こえる。なお、従来の耳掛け式の補聴器は、マイクが上方や後方に配置され、音を拾い難い。
また、マイクが前方に配置されるので、イヤホンから一定距離離れることになり、ハウリングが起こり難い。
【００１８】
このとき、テンプル部の中腹に、通孔部が設けられており、補聴器のイヤホンが通孔部に挿通されている場合、イヤホンをスムーズに耳に装着することができる。
また、テンプル部がイヤホンを支持することになるので、イヤホンの耳からの落下を防止できる。
【図面の簡単な説明】
【００１９】
【図１】図１は、本発明に係る眼鏡の第１実施形態を示す斜視図である。
【図２】図２の（ａ）は、第１実施形態に係る眼鏡のヒンジ部を示す上面図であり、図２の（ｂ）は、その側面図である。
【図３】図３の（ａ）は、第１実施形態に係る眼鏡のテンプル部を示す上面図であり、図３の（ｂ）は、その側面図である。
【図４】図４の（ａ）及び図４の（ｂ）は、第１実施形態に係る眼鏡においてヒンジ部の弾性基部を、テンプル部に取り付ける方法を説明するための斜視図である。
【図５】図５は、本発明に係る眼鏡の第２実施形態を示す斜視図である
【図６】図６の（ａ）は、第２実施形態に係る眼鏡のテンプル部を示す上面図であり、図６の（ｂ）は、その側面図である。
【図７】図７の（ａ）及び図７の（ｂ）は、第２実施形態に係る眼鏡において補聴器をテンプル部に取り付ける方法を説明するための上面図である。
【図８】図８は、第２実施形態に係る眼鏡において補聴器をテンプル部に取り付けた状態を示す側面図である。
【図９】図９の（ａ）〜図９の（ｆ）は、他の実施形態に係る眼鏡のテンプル部の例を示す側面図である。
【発明を実施するための形態】
【００２０】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００２１】
［第１実施形態］
図１は、本発明に係る眼鏡の第１実施形態を示す斜視図である。
図１に示すように、第１実施形態に係る眼鏡１００は、左右一対のレンズＬを有するフロント部１０と、該フロント部１０の両側に取り付けられた固定基部１１及び該固定基部１１に回動可能となるように取り付けられた弾性基部１２からなるヒンジ部２０と、弾性基部１２の一部を内挿可能な中空部を有するテンプル部３０と、を備える。
【００２２】
眼鏡１００は、一般的な眼鏡と同様に、ヒンジ部２０が回動するので、眼鏡１００の不使用時には、ヒンジ部２０を回動させて折り畳み、また使用時には、開いてテンプル部３０を耳に掛ける。
ここで、ヒンジ部２０における回動は、後述するように、上下２カ所で枢着されていると回動が極めて安定する。
【００２３】
眼鏡１００は、フロント部１０と、ヒンジ部２０と、テンプル部３０とを備えるだけなので、部品点数が少なく、製造も容易である。
また、眼鏡１００においては、弾性基部１２の一部をテンプル部３０の中空部に内挿させることによりテンプル部が装着され、弾性基部１２の一部をテンプル部３０の中空部から引き出すことによりテンプル部が取り外されるようになっているので、テンプル部３０を容易に着脱することが可能である。これにより、顔の側面に当接されるテンプル部３０を別のものに交換することができ、所望の意匠性やフィッティング性を与えることで、眼鏡の意匠性や掛け心地を向上させることができる。
【００２４】
フロント部１０は、左右一対のレンズＬと、両レンズＬに架橋されたブリッジ部１と、該ブリッジ部１に連結されたノーズパッド部２とからなる。
ここで、ブリッジ部１は、水平方向に走る２本の線材からなる。このため、後述する線材からなるヒンジ部２０と合わせて、外観の統一性が生じ、意匠性に優れるものとなっている。
【００２５】
ヒンジ部２０は、フロント部１０の両側に取り付けられている。
図２の（ａ）は、第１実施形態に係る眼鏡のヒンジ部を示す上面図であり、図２の（ｂ）は、その側面図である。
図２の（ａ）及び図２の（ｂ）に示すように、ヒンジ部２０は、フロント部１０のレンズＬに取り付けられた固定基部１１と、固定基部１１に回動可能となるように取り付けられた弾性基部１２とからなる。
【００２６】
固定基部１１は、上面視でＬ字状に屈曲した形状となっており、前端部１１ａがレンズＬに固定されている。
そして、固定基部１１の後部１１ｂには、弾性基部１２が水平方向に回動可能となるように、弾性基部１２の前端部１２ａが枢着されている。
【００２７】
ここで、固定基部１１と弾性基部１２とは、上下２カ所で枢着されている。これにより、固定基部１１と弾性基部１２とが外れ難くなる。
また、テンプル部３０に捻れ力が加わっても、固定基部１１に対する弾性基部１２の回動が安定して行われる。なお、テンプル部３０が幅広のものであっても適用が可能である。
【００２８】
固定基部１１及び弾性基部１２は、共に側面視でＵ字状の線材からなっている。このため、眼鏡１００は、軽量且つシンプルであり、上述したノーズパッド部２の形状とも相俟って意匠性により優れるものとなっている。しかも、テンプル部３０に無理な捻れ力が加わっても、固定基部１１と弾性基部１２とで、それを吸収し、直接、レンズＬへ伝わるのを阻止する。
【００２９】
眼鏡１００において、弾性基部１２には、上下一対の外突起部１２ｂが設けられている。
かかる外突起部１２ｂは、線材の一部が緩やかなＲ状に湾曲した形状となっている。
ここで、弾性基部１２は、弾性を有するので、外突起部１２ｂを矢印Ａのように上下方向から力を加えることにより中央側に移動し、力を開放することにより元の位置に戻るようになっている。
【００３０】
テンプル部３０は、ヒンジ部２０に連結される。
図３の（ａ）は、第１実施形態に係る眼鏡のテンプル部を示す上面図であり、図３の（ｂ）は、その側面図である。
図３の（ａ）及び図３の（ｂ）に示すように、テンプル部３０は、前部に弾性基部１２の一部を内挿可能な中空部１５ａを有する。
また、テンプル部３０には、弾性基部１２が中空部１５ａに内挿された状態で上下一対の外突起部１２ｂを掛止可能な上下一対の掛止部１５ｂが設けられている。
ここで、掛止部１５ｂは、中空部１５ａから上方向又は下方向に貫通した孔からなる。
【００３１】
図４の（ａ）及び図４の（ｂ）は、第１実施形態に係る眼鏡においてヒンジ部の弾性基部を、テンプル部に取り付ける方法を説明するための斜視図である。
図４の（ａ）及び図４の（ｂ）に示すように、ヒンジ部２０の弾性基部１２を、テンプル部３０の中空部１５ａに挿入する。
そうすると、上下一対の外突起部１２ｂがテンプル部３０の壁に当接される。
このとき、上述したように、弾性基部１２は、弾性を有し、且つ、外突起部１２ｂは、緩やかなＲ状に湾曲した形状となっているので、弾性基部１２を中空部１５ａに挿入する力を僅かに強めることにより、テンプル部３０の壁が弾性基部１２の線材に沿って滑り込むことにより、外突起部１２ｂが中央側に移動され、その形態を維持したまま、弾性基部１２が挿入されることになる。
【００３２】
そして、外突起部１２ｂが、掛止部１５ｂに到達すると、掛止部１５ｂにおいて外突起部１２ｂが元の位置に戻り、弾性基部１２がテンプル部３０に掛止されることになる。
これにより、テンプル部３０がヒンジ部２０に固定される。なお、テンプル部３０を取り外す場合は、逆の操作を行えばよい。すなわち、テンプル部３０を引く力を僅かに強めることにより、弾性基部１２の外突起部１２ｂが中央側に移動され、その形態を維持したまま、弾性基部１２が引き抜かれる。
また、爪で掛止部１５ｂである孔に突出している外突起部１２ｂを押し込むことにより、引き抜きも楽に行える利点もある。
【００３３】
このように、第１実施形態に係る眼鏡１００においては、テンプル部３０の装着時に、弾性基部１２に設けられた上下一対の外突起部１２ｂを、テンプル部３０に設けられた上下一対の掛止部１５ｂに掛止させるので、取り付けたテンプルが外れにくく且つ周方向への回転ずれを防止することができる。
また、テンプル部３０の中空部１５ａに対して、ヒンジ部２０の弾性基部１２を挿入する場合は、単に押し込む操作、すなわち直線運動のみで、テンプル部３０をヒンジ部２０に簡単に装着することができる。同様に、テンプル部３０を取り外す場合も、上述したように、ヒンジ部２０の弾性基部１２を引き抜く操作である直線運動のみで、テンプル部３０をヒンジ部２０から取り外すことができる。このため、テンプルを極めて容易に着脱することができる。
【００３４】
［第２実施形態］
図５は、本発明に係る眼鏡の第２実施形態を示す斜視図である。
図５に示すように、第２実施形態に係る眼鏡１０１は、左右一対のレンズＬを有するフロント部１０と、該フロント部１０の両側に取り付けられた固定基部１１及び該固定基部１１に回動可能となるように取り付けられた弾性基部１２からなるヒンジ部２０と、弾性基部１２の一部を内挿可能な中空部を有するテンプル部３１と、該テンプル部３１に取り付けられた補聴器４０と、を備える。すなわち、第２実施形態に係る眼鏡１０１は、テンプル部３１の形状が異なっており、補聴器４０が更に備えられていること以外は、第１実施形態に係る眼鏡１００と同様の構成となっている。
【００３５】
図６の（ａ）は、第２実施形態に係る眼鏡のテンプル部を示す上面図であり、図６の（ｂ）は、その側面図である。
図６の（ａ）及び図６の（ｂ）に示すように、テンプル部３１は、前部に弾性基部１２の一部を内挿可能な中空部２５ａを有する。
また、テンプル部３１には、弾性基部１２が中空部２５ａに内挿された状態で上下一対の外突起部１２ｂを掛止可能な上下一対の掛止部２５ｂが設けられている。
ここで、掛止部２５ｂは、中空部２５ａから上方向又は下方向に貫通した孔からなる。
【００３６】
さらに、テンプル部３１の前部の内側（顔の側面に当接される側）には、切欠部１６が設けられており、テンプル部３１の中腹には、薄肉部１８が設けられ、該薄肉部１８に通孔部１７が設けられている。なお、テンプル部３１においては、薄肉部１８が設けられているので、通孔部１７を設けやすくなっている。
ここで、切欠部１６は、テンプル部３１の前部の内側に設けられているので、中空部２５ａに通じる空隙となっている。
また、通孔部１７は、水平方向に貫通した孔からなっている。
眼鏡１０１においては、切欠部１６、薄肉部１８及び通孔部１７が設けられているので、テンプル部がより軽量となる。
【００３７】
図５に戻り、眼鏡１０１においては、切欠部１６に、マイクが前方に配置されるように補聴器４０が取り付けられている。
ここで、補聴器４０は、一般に、本体部４３と、本体部４３に取り付けられたＬ字状の引掛部４５と、本体部に内蔵されたマイク４２と、該マイク４２に拾われた音声を伝えるイヤホン４１とを備える（図７参照）。
【００３８】
図７の（ａ）及び図７の（ｂ）は、第２実施形態に係る眼鏡において補聴器をテンプル部に取り付ける方法を説明するための上面図であり、図８は、第２実施形態に係る眼鏡において補聴器をテンプル部に取り付けた状態を示す側面図である。
図７の（ａ）及び図７の（ｂ）に示すように、眼鏡１０１においては、補聴器４０に設けられた引掛部４５を、矢印Ｂに示すように、テンプル部３１の切欠部１６から挿入し、引掛部４５がテンプル部３１の中空部２５ａに位置するようにして、引掛部４５を切欠部１６後方の壁１６ａに引っ掛けることにより、補聴器４０が取り付けられる。
【００３９】
このとき、図８に示すように、ヒンジ部２０の弾性基部１２は、側面視でＵ字状であり、中央部が空間なので、補聴器４０の引掛部４５の中空部２５ａへの侵入を妨げない。すなわち、中空部２５ａにおいて、上下に弾性基部１２が配置され、中央に引掛部４５が配置されるので、互いに邪魔にならない。
【００４０】
ここで、補聴器４０のマイク４２は、前方に配置される。
これにより、聴きたい音の方向に顔を向けることにより横からの雑音を遮り、より良く聴こえる、いわゆる遮眼革機構となっている。このとき、固定基部１１及び弾性基部１２が共に線材からなるので、前方、或いは斜め前の音がさらに聴き取り易い。なお、従来の耳掛け式の補聴器は、マイクが上方や後方に配置され、音を拾い難い。
さらに、マイク４２が前方に配置されるので、イヤホン４１から一定距離離れることになり、ハウリングが起こり難い。
【００４１】
これに加え、眼鏡１０１においては、補聴器４０の後部にイヤホン４１のコードが通孔部１７を挿通するように取り付けられる。
これにより、イヤホン４１をスムーズに耳に装着することができる。
また、テンプル部３１がイヤホン４１のコードを支持することになるので、イヤホン４１の耳からの落下を防止できる。なお、イヤホンのコードを、通孔部１７を通さないで、直接耳に装着することも可能である。その場合、通孔部１７は、不必要となる。
【００４２】
以上、本発明の好適な実施形態について説明したが、本発明は上記実施形態に限定されるものではない。
【００４３】
本実施形態（第１実施形態及び第２実施形態）に係る眼鏡において、フロント部１０は、左右一対のレンズＬと、両レンズＬに架橋されたブリッジ部１と、該ブリッジ部１に連結されたノーズパッド部２とからなっているが、この構成に限定されない。
例えば、レンズＬが枠体に取り付けられていてもよい。この場合、枠体がブリッジ部の働きをすることになる。また、固定基部１１は、前端部１１ａが枠体に固定されることになる。
【００４４】
本実施形態に係る眼鏡においては、上下一対の外突起部が設けられており、上下一対の掛止部が設けられているが、共に上下一対でなくてもよい。すなわち、１つの外突起部が１箇所の掛止部に掛止可能となっていてもよい。
【００４５】
本実施形態に係る眼鏡において、ブリッジ部１は、水平方向に走る２本の線材からなっているが、この形状に限定されない。
【００４６】
本実施形態に係る眼鏡において、固定基部１１は、上面視でＬ字状に屈曲した形状となっているが、この形状に限定されない。
【００４７】
本実施形態に係る眼鏡において、テンプル部の形状は特に限定されない。
図９の（ａ）〜図９の（ｆ）は、他の実施形態に係る眼鏡のテンプル部の例を示す側面図である。
図９の（ａ）〜図９の（ｆ）に示すように、テンプル部は、あらゆる装飾を施すことができ、形状も様々に変形することができる。すなわち、所望の意匠性やフィッティング性を備えたテンプル部を、所望のタイミングで着脱することができる。
【００４８】
第２実施形態に係る眼鏡１０１においては、切欠部１６に補聴器４０が取り付けられているが、これに限定されず、例えば、装飾品やラジオ等の電気機器を適宜取り付けることができる。
【産業上の利用可能性】
【００４９】
本発明は、テンプル部が着脱可能な眼鏡として用いることができる。本発明によれば、部品点数が少なく、テンプルを容易に着脱することができると共に、取り付けたテンプルが外れにくく且つ周方向への回転ずれを防止する眼鏡を提供できる。
【符号の説明】
【００５０】
１・・・ブリッジ部
２・・・ノーズパッド部
１０・・・フロント部
１１・・・固定基部
１１ａ，１２ａ・・・前端部
１１ｂ・・・後部
１２・・・弾性基部
１２ｂ・・・外突起部
１５ａ，２５ａ・・・中空部
１５ｂ，２５ｂ・・・掛止部
１６・・・切欠部
１６ａ・・・切欠部後方の壁
１７・・・通孔部
１８・・・薄肉部
２０・・・ヒンジ部
３０，３１・・・テンプル部
４０・・・補聴器
４１・・・イヤホン
４２・・・マイク
４３・・・本体部
４５・・・引掛部
１００，１０１・・・眼鏡
Ｌ・・・レンズ
【図１】
2014006404.tif 000003
【図２】
2014006404.tif 000004
【図３】
2014006404.tif 000005
【図４】
2014006404.tif 000006
【図５】
2014006404.tif 000007
【図６】
2014006404.tif 000008
【図７】
2014006404.tif 000009
【図８】
2014006404.tif 000010
【図９】
2014006404.tif 000011